(57)【特許請求の範囲】
【請求項１】
互いに交差する縦方向、横方向、及び、厚さ方向を有し、
前記縦方向の前側の前方領域、及び、前記縦方向の中央領域を備え、
少なくとも表面シートと吸収体の一部とが前記厚さ方向に圧縮された圧縮溝が設けられた吸収性物品であって、
前記圧縮溝は、
前記前方領域に、前記縦方向に沿う一対の第１縦圧縮溝と、前記横方向に沿い前記一対の第１縦圧縮溝に連結する第１横圧縮溝と、前記第１横圧縮溝よりも前記縦方向の中央側であり、前記一対の第１縦圧縮溝よりも前記横方向の内側において、前記横方向に沿う第２横圧縮溝とを有し、
前記中央領域に、前記縦方向に沿う一対の第２縦圧縮溝と、前記一対の第２縦圧縮溝よりも前記横方向の内側において前記縦方向に沿う一対の第３縦圧縮溝とを有し、
前記第２縦圧縮溝、及び、前記第３縦圧縮溝は、前記第１縦圧縮溝と分断しており、前記第２横圧縮溝よりも前記縦方向の中央側に位置し、
前記第２縦圧縮溝の前記縦方向の前側の端と、前記第３縦圧縮溝の前記縦方向の前側の端とのうちの一方が、他方よりも、前記縦方向の前側に位置し、前記他方が、前記第１縦圧縮溝よりも、前記縦方向の中央側に位置し、
前記吸収性物品を下着に固定するために、下着の肌側面に接着される接着剤が、前記吸収性物品の裏面に設けられ、
前記吸収性物品を前記厚さ方向に見て、前記一対の第２縦圧縮溝のうちの前記横方向の一方側の前記第２縦圧縮溝が設けられた領域が、前記一対の第１縦圧縮溝のうちの前記横方向の一方側の前記第１縦圧縮溝が設けられた領域、及び、前記接着剤が設けられた領域を合成した領域と、分断していること、
を特徴とする吸収性物品。
【請求項２】
請求項１に記載の吸収性物品であって、
前記第２縦圧縮溝の前記縦方向の前側の端の方が、前記第３縦圧縮溝の前記縦方向の前側の端よりも、前記縦方向の前側に位置すること、
を特徴とする吸収性物品。
【請求項３】
請求項１又は請求項２に記載の吸収性物品であって、
前記吸収性物品を前記厚さ方向に見て、前記一対の第２縦圧縮溝のうちの前記横方向の一方側の前記第２縦圧縮溝が、前記接着剤の前記横方向の一方側の端よりも、前記横方向の一方側に位置すること、
を特徴とする吸収性物品。
【請求項４】
請求項１から請求項３の何れか１項に記載の吸収性物品であって、
前記吸収性物品を前記厚さ方向に見て、前記第２横圧縮溝と前記接着剤とが重なっていること、
を特徴とする吸収性物品。
【請求項５】
請求項１から請求項４の何れか１項に記載の吸収性物品であって、
前記第２縦圧縮溝と前記第３縦圧縮溝とのうちの少なくとも一方は、前記縦方向の中央部が、前記横方向の外側に向かって凸となるように湾曲していること、
を特徴とする吸収性物品。
【請求項６】
請求項１から請求項５の何れか１項に記載の吸収性物品であって、
前記第２縦圧縮溝の前記縦方向の前側の端部が、前記横方向の外側に向かって傾斜していること、
を特徴とする吸収性物品。
【請求項７】
請求項１から請求項６の何れか１項に記載の吸収性物品であって、
前記第２横圧縮溝は、前記第２横圧縮溝に連結する圧縮溝と共に、環状の圧縮溝を形成すること、
を特徴とする吸収性物品。
【請求項８】
請求項１から請求項７の何れか１項に記載の吸収性物品であって、
前記吸収体は、排泄物を吸収する吸収体コアを有し、
前記一対の第３縦圧縮溝間の前記横方向の中央部に位置する前記吸収体コアの目付けの方が、前記一対の第３縦圧縮溝よりも前記横方向の外側に位置する前記吸収体コアの目付けよりも高いこと、
を特徴とする吸収性物品。
【請求項９】
請求項１から請求項８の何れか１項に記載の吸収性物品であって、
前記吸収体は、排泄物を吸収する吸収体コアを有し、
前記第３縦圧縮溝の前記縦方向の中央部が位置する前記縦方向の第１位置の方が、前記第２横圧縮溝と前記第２縦圧縮溝との間である前記縦方向の第２位置に比べて、前記吸収体コアの前記横方向の中央部の目付けが高く、
前記縦方向の前記第２位置の方が、前記第２横圧縮溝よりも前記縦方向の前側である前記縦方向の第３位置に比べて、前記吸収体コアの前記横方向の中央部の目付けが高いこと、
を特徴とする吸収性物品。
【請求項１０】
請求項１から請求項９の何れか１項に記載の吸収性物品であって、
前記圧縮溝は、前記吸収性物品における前記縦方向の後側の後方領域に、前記縦方向に沿う一対の第４縦圧縮溝と、前記横方向に沿い前記一対の第４縦圧縮溝に連結する第３横圧縮溝と、を有し、
前記第３横圧縮溝よりも前記縦方向の中央側であり、前記一対の第４縦圧縮溝よりも前記横方向の内側に、前記横方向に沿う圧縮溝が設けられていないこと、
を特徴とする吸収性物品。
【発明の詳細な説明】
【技術分野】
【０００１】
本発明は、生理用ナプキン等の吸収性物品に関する。
【背景技術】
【０００２】
生理用ナプキン等の吸収性物品として、例えば、液透過性の表面シートと、液不透過性の裏面シートとの間に、液保持性の吸収体が設けられ、少なくとも表面シートと吸収体の一部とが厚さ方向に圧縮された圧縮溝が設けられたものが挙げられる。また、吸収性物品の長手方向の中央部、つまり、排泄部対向部の幅方向の両端部に、長手方向に延び、且つ、幅方向の外側に凸に湾曲する一対の溝である左溝及び右溝が設けられた吸収性物品が提案されている（例えば特許文献１参照）。このような吸収性物品では、装着時に、幅方向の内側に向かう圧縮力が作用すると、左溝及び右溝を可撓軸として、排泄部対向部が着用者の肌側へ向かって隆起する。そのため、着用者の排泄部に吸収性物品がフィットし、排泄物の漏れを抑制できる。
【先行技術文献】
【特許文献】
【０００３】
【特許文献１】特許第４７５７０３９号公報
【発明の概要】
【発明が解決しようとする課題】
【０００４】
しかし、上記特許文献１に記載の吸収性物品には、左溝及び右溝よりも幅方向の外側に、吸収性物品の長手方向の前方部にまで延びる一対のサイド溝が設けられている。そのため、装着時に作用する幅方向の内側への圧縮力が、一対のサイド溝によって、吸収性物品の長手方向の前方部にまで伝わり、長手方向の前方部も着用者の肌側に隆起してしまう。そうすると、着用者の下腹部に対する吸収性物品のフィット性が低下してしまう。
【０００５】
本発明は、上記のような従来の問題に鑑みてなされたものであって、その目的は、着用者に対する吸収性物品のフィット性を向上させることである。
【課題を解決するための手段】
【０００６】
上記目的を達成するための主たる発明は、互いに交差する縦方向、横方向、及び、厚さ方向を有し、前記縦方向の前側の前方領域、及び、前記縦方向の中央領域を備え、少なくとも表面シートと吸収体の一部とが前記厚さ方向に圧縮された圧縮溝が設けられた吸収性物品であって、前記圧縮溝は、前記前方領域に、前記縦方向に沿う一対の第１縦圧縮溝と、前記横方向に沿い前記一対の第１縦圧縮溝に連結する第１横圧縮溝と、前記第１横圧縮溝よりも前記縦方向の中央側であり、前記一対の第１縦圧縮溝よりも前記横方向の内側において、前記横方向に沿う第２横圧縮溝とを有し、前記中央領域に、前記縦方向に沿う一対の第２縦圧縮溝と、前記一対の第２縦圧縮溝よりも前記横方向の内側において前記縦方向に沿う一対の第３縦圧縮溝とを有し、前記第２縦圧縮溝、及び、前記第３縦圧縮溝は、前記第１縦圧縮溝と分断しており、前記第２横圧縮溝よりも前記縦方向の中央側に位置し、前記第２縦圧縮溝の前記縦方向の前側の端と、前記第３縦圧縮溝の前記縦方向の前側の端とのうちの一方が、他方よりも、前記縦方向の前側に位置し、前記他方が、前記第１縦圧縮溝よりも、前記縦方向の中央側に位置し、前記吸収性物品を下着に固定するために、下着の肌側面に接着される接着剤が、前記吸収性物品の裏面に設けられ、前記吸収性物品を前記厚さ方向に見て、前記一対の第２縦圧縮溝のうちの前記横方向の一方側の前記第２縦圧縮溝が設けられた領域が、前記一対の第１縦圧縮溝のうちの前記横方向の一方側の前記第１縦圧縮溝が設けられた領域、及び、前記接着剤が設けられた領域を合成した領域と、分断していること、を特徴とする吸収性物品である。本発明の他の特徴については、本明細書及び添付図面の記載により明らかにする。
【発明の効果】
【０００７】
本発明によれば、着用者に対する吸収性物品のフィット性を向上させることができる。
【図面の簡単な説明】
【０００８】
【図１】ナプキンの肌側の平面図である。
【図２】ナプキンの縦方向中央部の概略断面図である。
【図３】圧縮溝とずれ止め接着剤との位置関係の説明図である。
【図４】圧縮溝と吸収体との位置関係の説明図である。
【図５】図５Ａから図５Ｃは、ナプキンの装着時における、図１の各位置ＡＡ，ＢＢ，ＣＣでの吸収体の断面形状の説明図である。
【図６】第２実施形態におけるナプキンの肌側の概略平面図である。
【図７】図７Ａから図７Ｄは第３実施形態におけるナプキンの肌側の概略平面図である。
【発明を実施するための形態】
【０００９】
本明細書及び添付図面の記載により、少なくとも以下の事項が明らかとなる。
互いに交差する縦方向、横方向、及び、厚さ方向を有し、前記縦方向の前側の前方領域、及び、前記縦方向の中央領域を備え、少なくとも表面シートと吸収体の一部とが前記厚さ方向に圧縮された圧縮溝が設けられた吸収性物品であって、前記圧縮溝は、前記前方領域に、前記縦方向に沿う一対の第１縦圧縮溝と、前記横方向に沿い前記一対の第１縦圧縮溝に連結する第１横圧縮溝と、前記第１横圧縮溝よりも前記縦方向の中央側であり、前記一対の第１縦圧縮溝よりも前記横方向の内側において、前記横方向に沿う第２横圧縮溝とを有し、前記中央領域に、前記縦方向に沿う一対の第２縦圧縮溝と、前記一対の第２縦圧縮溝よりも前記横方向の内側において前記縦方向に沿う一対の第３縦圧縮溝とを有し、前記第２縦圧縮溝、及び、前記第３縦圧縮溝は、前記第１縦圧縮溝と分断しており、前記第２横圧縮溝よりも前記縦方向の中央側に位置し、前記第２縦圧縮溝の前記縦方向の前側の端と、前記第３縦圧縮溝の前記縦方向の前側の端とのうちの一方が、他方よりも、前記縦方向の前側に位置し、前記他方が、前記第１縦圧縮溝よりも、前記縦方向の中央側に位置すること、を特徴とする吸収性物品である。
このような吸収性物品によれば、前方領域を平坦な面形状に保ちつつ、中央領域の横方向の中央部を肌側に隆起させることができるので、着用者の下腹部に対する前方領域のフィット性、及び、着用者の排泄部に対する中央領域のフィット性を向上させることができる。また、前方領域と中央領域の境界部分の横方向の中央部を、中央領域よりも低い高さで肌側に隆起させることができる。よって、縦方向の前側から中央側に掛けて、吸収性物品の横方向の中央部を徐々に隆起させることができ、着用者に対する吸収性物品のフィット性をより向上させることができる。
【００１０】
かかる吸収性物品であって、前記第２縦圧縮溝の前記縦方向の前側の端の方が、前記第３縦圧縮溝の前記縦方向の前側の端よりも、前記縦方向の前側に位置すること、を特徴とする吸収性物品である。
このような吸収性物品によれば、吸収性物品の装着時に、第２縦圧縮溝の縦方向の前側の端部に作用した圧縮力を、第３縦圧縮溝の縦方向の中央部に向かわせることができる。よって、中央領域の横方向の中央部は肌側により隆起し易くなり、着用者の排泄部に対する中央領域のフィット性をより向上させることができる。
【００１１】
かかる吸収性物品であって、前記吸収性物品を下着に固定するために、下着の肌側面に接着される接着剤が、前記吸収性物品の裏面に設けられ、前記吸収性物品を前記厚さ方向に見て、前記一対の第２縦圧縮溝のうちの前記横方向の一方側の前記第２縦圧縮溝が、前記接着剤の前記横方向の一方側の端よりも、前記横方向の一方側に位置すること、を特徴とする吸収性物品である。
このような吸収性物品によれば、吸収性物品の装着時に、第２縦圧縮溝よりも横方向の外側の部位が、下着の形状に規制されずに、肌側に隆起できる。よって、横方向に流れた排泄物を、第２縦圧縮溝よりも横方向の外側の部位で堰き止めることができ、排泄物の漏れを抑制できる。
【００１２】
かかる吸収性物品であって、前記吸収性物品を下着に固定するために、下着の肌側面に接着される接着剤が、前記吸収性物品の裏面に設けられ、前記吸収性物品を前記厚さ方向に見て、前記第２横圧縮溝と前記接着剤とが重なっていること、を特徴とする吸収性物品である。
このような吸収性物品によれば、前方領域は、下着に接着されるので、平坦な面形状により保たれ易くなり、着用者の下腹部に対する前方領域のフィット性を向上させることができる。
【００１３】
かかる吸収性物品であって、前記吸収性物品を下着に固定するために、下着の肌側面に接着される接着剤が、前記吸収性物品の裏面に設けられ、前記吸収性物品を前記厚さ方向に見て、前記一対の第２縦圧縮溝のうちの前記横方向の一方側の前記第２縦圧縮溝が設けられた領域が、前記一対の第１縦圧縮溝のうちの前記横方向の一方側の前記第１縦圧縮溝が設けられた領域、及び、前記接着剤が設けられた領域を合成した領域と、分断していること、を特徴とする吸収性物品である。
このような吸収性物品によれば、中央領域に作用した圧縮力が、下着を介して前方領域に伝達されてしまうことを抑制できるので、前方領域が平坦な面形状に保たれ易く、着用者の下腹部に対する前方領域のフィット性を向上させることができる。
【００１４】
かかる吸収性物品であって、前記第２縦圧縮溝と前記第３縦圧縮溝とのうちの少なくとも一方は、前記縦方向の中央部が、前記横方向の外側に向かって凸となるように湾曲していること、を特徴とする吸収性物品である。
このような吸収性物品によれば、中央領域の横方向の中央部の比較的に広い領域を面で安定して肌側に隆起させることができるので、排泄部に対する中央領域のフィット性を向上させることができる。
【００１５】
かかる吸収性物品であって、前記第２縦圧搾溝の前記縦方向の前側の端部が、前記横方向の外側に向かって傾斜していること、を特徴とする吸収性物品である。
このような吸収性物品によれば、第２縦圧縮溝の縦方向の前側の端部を、着用者の太腿の付け根に沿わせることができ、吸収性物品のフィット性を向上させることができる。
【００１６】
かかる吸収性物品であって、前記第２横圧縮溝は、前記第２横圧縮溝に連結する圧縮溝と共に、環状の圧縮溝を形成すること、を特徴とする吸収性物品である。
このような吸収性物品によれば、前方領域の横方向の剛性を高められるので、前方領域を平坦な面形状により保ち易く、着用者の下腹部に対する前方領域のフィット性をより向上させることができる。
【００１７】
かかる吸収性物品であって、前記吸収体は、排泄物を吸収する吸収体コアを有し、前記一対の第３縦圧縮溝間の前記横方向の中央部に位置する前記吸収体コアの目付けの方が、前記一対の第３縦圧縮溝よりも前記横方向の外側に位置する前記吸収体コアの目付けよりも高いこと、を特徴とする吸収性物品である。
このような吸収性物品によれば、中央領域が肌側に隆起し易くなるので、着用者の排泄部に対する中央領域のフィット性をより向上させることができる。
【００１８】
かかる吸収性物品であって、前記吸収体は、排泄物を吸収する吸収体コアを有し、前記第３縦圧縮溝の前記縦方向の中央部が位置する前記縦方向の第１位置の方が、前記第２横圧縮溝と前記第２縦圧縮溝との間である前記縦方向の第２位置に比べて、前記吸収体コアの前記横方向の中央部の目付けが高く、前記縦方向の前記第２位置の方が、前記第２横圧縮溝よりも前記縦方向の前側である前記縦方向の第３位置に比べて、前記吸収体コアの前記横方向の中央部の目付けが高いこと、を特徴とする吸収性物品である。
このような吸収性物品によれば、縦方向の前側から中央側に掛けて、吸収性物品の横方向の中央部が徐々に隆起し易くなるので、着用者に対する吸収性物品のフィット性をより向上させることができる。
【００１９】
かかる吸収性物品であって、前記圧縮溝は、前記吸収性物品における前記縦方向の後側の後方領域に、前記縦方向に沿う一対の第４縦圧縮溝と、前記横方向に沿い前記一対の第４縦圧縮溝に連結する第３横圧縮溝と、を有し、前記第３横圧縮溝よりも前記縦方向の中央側であり、前記一対の第４縦圧縮溝よりも前記横方向の内側に、前記横方向に沿う圧縮溝が設けられていないこと、を特徴とする吸収性物品である。
このような吸収性物品によれば、前方領域に比べて、後方領域の方が、横方向の剛性が低下するので、後方領域を着用者の臀部に沿わせて湾曲させることができ、着用者の臀部に対する後方領域のフィット性を向上させることができる。
【００２０】
＝＝＝第１実施形態＝＝＝
吸収性物品の一例として生理用ナプキン（以下、ナプキン）を例に挙げて、実施形態を説明する。
図１は、ナプキン１の肌側の平面図である。図２は、ナプキン１の縦方向中央部の概略断面図である。図３は、圧縮溝１１〜１８とずれ止め接着剤１０との位置関係の説明図である。図４は、圧縮溝１１〜１８と吸収体コア３０の目付けとの位置関係の説明図である。図５Ａから図５Ｃは、ナプキン１の装着時における、図１の各位置ＡＡ，ＢＢ，ＣＣでの吸収体３の断面形状の説明図である。
【００２１】
ナプキン１は、互いに交差する（本実施形態では直交する）縦方向、横方向、及び、厚さ方向を有し、縦方向の前側の前方領域１ａと、縦方向の中央領域１ｂと、縦方向の後側の後方領域１ｃとを備える。ナプキン１は、前方領域１ａが着用者の下腹部に当接し、中央領域１ｂが着用者の股間部（排泄部である膣口）に当接し、後方領域１ｃが着用者の臀部に当接するように、着用されるものとする。また、厚さ方向のうち、着用者に接触する側を肌側と呼び、下着に接触する側を非肌側と呼ぶ。
【００２２】
ナプキン１では、図２に示すように、液透過性の表面シート２（例えば、不織布や有孔合成樹脂フィルム等）と、液不透過性の裏面シート４（例えば、合成樹脂フィルム等）との間に、吸収体３が設けられ、横方向の両端部に一対のサイドシート５（例えば、疎水性や撥水性を有する不織布等）が設けられている。吸収体３は、経血等の排泄物を吸収し保持する吸収体コア３０（例えば、粉砕パルプや高吸収ポリマーで構成されるもの等）と、それを被覆する液透過性の被覆材３１（例えば、ティッシュ等）とを有する。サイドシート５は、一端部が、表面シート２の肌側面の横方向の端部を覆うように折り込まれ、他端部が、裏面シート４の非肌側面の横方向の端部を覆うように折り込まれている。なお、吸収体コア３０が被覆材３１に覆われていない吸収体であってもよい。また、図示しないが、各部材２〜５の界面に接着剤を塗布して各部材２〜５を接合してもよい。
【００２３】
ナプキン１の平面形状（図１）は、縦長の略長方形形状であり、縦方向の両端が外側に凸となるように湾曲している。吸収体３の平面形状も、ナプキン１の平面形状と同様の形状であり、一回り小さい形状となっている。但し、ナプキン１や吸収体３の平面形状は、図１に示すものに限らず、例えば、瓢箪形等でもよい。
【００２４】
ナプキン１の縦方向の両端部では、表面シート２と裏面シート４とが、例えばヒートエンボス加工により接合され、接合部６が形成されている。また、ナプキン１の肌側面の横方向の両端部には、表面シート２とサイドシート５とが、例えばヒートエンボス加工により接合され、サイド接合部７が形成されている。そうして、吸収体３は、表面シート２と裏面シート４とサイドシート５との間に、内封されている。
【００２５】
また、ナプキン１の肌側面には、例えばヒートエンボス加工により、表面シート２と吸収体３の一部又は全部とを、表面シート２側（肌側）から厚さ方向に圧縮した圧縮溝１１〜１８（詳細は後述）が設けられ、表面シート２と吸収体３は接合一体化されている。なお、この実施形態では、圧縮溝１１〜１８を、低圧縮部４０と、低圧縮部４０よりも高い圧力で圧縮された深い溝部である高圧縮部４１とを、有する圧縮溝とするが、これに限らず、深さが一定である圧縮溝としてもよい。また、圧縮溝１１〜１８を、例えば、前方領域１ａの第１縦圧縮溝１１のように、溝が連続している圧縮溝としてもよいし、中央領域１ｂの第２縦圧縮溝１４や第３縦圧縮溝１５のように、溝が離散しており、低圧縮部４０及び高圧縮部４１と、非圧縮部４２とが、交互に並んだ圧縮溝としてもよい。
【００２６】
また、ナプキン１を下着に固定するために、ナプキン１の非肌側面（裏面）には、下着の肌側面に接着されるずれ止め接着剤１０が設けられている（例えば、ホットメルト系接着剤が塗布されている）。図３では、ナプキン１の肌側面に、ずれ止め接着剤１０を仮想的に示す。本実施形態では、ずれ止め接着剤１０として、縦方向に延びる長方形の接着剤の帯１０ａが横方向に間隔を空けて８本並んだパターンを例に挙げるが、これに限らない。例えば、縦長の接着剤の帯１０ａの数が８本以外の数のパターンでもよいし、横長の接着剤の帯が縦方向に間隔を空けて並んだパターンでもよい。
【００２７】
そして、第１実施形態のナプキン１では、図１に示すように、圧縮溝として、前方領域１ａに、縦方向に沿う一対の第１縦圧縮溝１１と、横方向に沿い、一対の第１縦圧縮溝１１の縦方向の前側の各端に連結する第１横圧縮溝１２と、第１横圧縮溝１２よりも縦方向の中央側であり、一対の第１縦圧縮溝１１よりも横方向の内側において、横方向に沿う第２横圧縮溝１３とが設けられている。
中央領域１ｂには、圧縮溝として、縦方向に沿う一対の第２縦圧縮溝１４と、一対の第２縦圧縮溝１４よりも横方向の内側において、縦方向に沿う一対の第３縦圧縮溝１５とが設けられている。
後方領域１ｃには、前方領域１ａに設けられた圧縮溝１１〜１３を、ナプキン１の縦方向の中心線に対して対称に配置した圧縮溝１６〜１８が設けられている。つまり、後方領域１ｃには、圧縮溝として、縦方向に沿う一対の第４縦圧縮溝１６と、横方向に沿い、一対の第４縦圧縮溝１６の縦方向の後側の各端に連結する第３横圧縮溝１７と、第３横圧縮溝１７よりも縦方向の中央側であり、一対の第４縦圧縮溝１６よりも横方向の内側において、横方向に沿う第４横圧縮溝１８とが設けられている。
【００２８】
なお、例えば、縦方向に沿う第１縦圧縮溝１１は、横方向の外側に凸となるように湾曲しており、横方向に沿う第１横圧縮溝１２は、縦方向の前側に凸となるように湾曲している。つまり、本発明における縦方向に沿う圧縮溝とは、縦方向に完全に沿う圧縮溝に限らず、その圧縮溝の縦方向の一方側の端から他方側の端までの縦方向の長さの方が、その圧縮溝の横方向の一方側の端から他方側の端までの横方向の長さよりも長い、縦方向に延びた圧縮溝も含まれる。同様に、横方向に沿う圧縮溝とは、横方向に完全に沿う圧縮溝に限らず、その圧縮溝の横方向の一方側の端から他方側の端までの横方向の長さの方が、その圧縮溝の縦方向の一方側の端から他方側の端までの縦方向の長さよりも長い、横方向に延びた圧縮溝も含まれる。
【００２９】
上記のように、第１実施形態のナプキン１では、中央領域１ｂに、一対の第２縦圧縮溝１４と一対の第３縦圧縮溝１５が設けられ、縦方向に沿う一対の圧縮溝が二重に設けられている。そのため、ナプキン１の装着時に、着用者の股締め力により、中央領域１ｂに対して、横方向の内側に向かう圧縮力が作用すると、図５Ｃに示すように、第２縦圧縮溝１４及び第３縦圧縮溝１５を起点として、吸収体３（ナプキン１）が折れ、一対の第３縦圧縮溝１５間の吸収体の部位３Ａが、厚さ方向の肌側に隆起する。詳しく説明すると、第３縦圧縮溝１５における吸収体３の厚さ方向の中心位置は、一対の第３縦圧縮溝１５間の吸収体の部位３Ａの厚さ方向の中心位置に対して、下方（非肌側）に位置している。そのため、圧縮力が作用すると、一対の第３縦圧縮溝１５間の吸収体の部位３Ａは、吸収体の部位３Ａの横方向の両側に位置する一対の吸収体の部位３Ｂ（第２縦圧縮溝１４と第３縦圧縮溝１５の間の吸収体の部位３Ｂ）により下方から支持され、肌側に持ち上げられると共に、吸収体の部位３Ａの下方部分が圧縮されて肌側に凸となるように湾曲する。よって、縦方向に沿う一対の圧縮溝が二重である部位は、一重である部位（例えば図５Ｂ）に比べて、横方向の中央部が肌側により高く隆起する。
【００３０】
このように、一対の第３縦圧縮溝１５間、つまり、中央領域１ｂにおける横方向の中央部であり、着用者の排泄部に当接する部位が、肌側により高く隆起することで、排泄部に対するナプキン１のフィット性が向上し、ナプキン１と着用者の間の隙間を低減できる。よって、ナプキン１による排泄物の吸収力が向上し、排泄物の漏れも抑制でき、装着時の違和感も低減できる。
【００３１】
また、縦方向に沿う一対の圧縮溝が二重である場合、一重である場合に比べて、横方向の内側の一対の圧縮溝間（ここでは一対の第３縦圧縮溝１５間）、つまり、排泄部に当接する部位の横幅が狭くなり易い。そのため、横方向の内側に向かう圧縮力が作用した際に、排泄部に当接する部位が波打つように変形し難く、排泄部に当接する部位を、より確実に、肌側に隆起させることができる。
【００３２】
また、仮に、中央領域１ｂの第２縦圧縮溝１４や第３縦圧縮溝１５が、前方領域１ａの第１縦圧縮溝１１に連結していたり、前方領域１ａまで長く延びていたりすると、着用者の股締め力により中央領域１ｂに作用した圧縮力が、第２縦圧縮溝１４や第３縦圧縮溝１５を介して、前方領域１ａにまで伝達されてしまう。そうすると、前方領域１ａも中央領域１ｂに連動し、横方向の中央部が肌側に隆起してしまう。
【００３３】
これに対して、第１実施形態のナプキン１では、第２縦圧縮溝１４、及び、第３縦圧縮溝１５が、第１縦圧縮溝１１と分断しており、また、第２縦圧縮溝１４、及び、第３縦圧縮溝１５は、前方領域１ａの第２横圧縮溝１３よりも縦方向の中央側に位置している。そのため、中央領域１ｂに作用した圧縮力が、前方領域１ａに伝達され難く、前方領域１ａの横方向の中央部の肌側への隆起を防ぐことができ、図５Ａに示すように、前方領域１ａの吸収体３（ナプキン１）を平坦な面形状に保てる。
更に、前方領域１ａには、横方向に沿う第２横圧縮溝１３が設けられている。そのため、前方領域１ａの横方向の剛性が高まり、前方領域１ａは、平坦な面形状に、より保たれ易くなる。
このように、前方領域１ａを平坦な面形状に保つことで、前方領域１ａを着用者の下腹部に沿わせることができ、下腹部に対するナプキン１のフィット性が向上する。よって、前方領域１ａに流れた排泄物の漏れを抑制でき、装着時の違和感も低減できる。
【００３４】
また、第１実施形態のナプキン１では、第２縦圧縮溝１４の縦方向の前側の端と、第３縦圧縮溝１５の縦方向の前側の端とのうちの一方が、他方よりも、縦方向の前側に位置し、前記他方が、第１縦圧縮溝１１よりも、縦方向の中央側に位置する。具体的には、第２縦圧縮溝１４の縦方向の前側の端（一方）が、第３縦圧縮溝１５の縦方向の前側の端（他方）よりも、縦方向の前側に位置し、第３縦圧縮溝１５の縦方向の前側の端（他方）が、第１縦圧縮溝１１よりも、縦方向の中央側に位置する。そのため、中央領域１ｂの縦方向前側の部分、つまり、前方領域１ａと中央領域１ｂの境界部分には、一対の第２縦圧縮溝１４だけが設けられ、縦方向に沿う一対の圧縮溝が一重である部位が形成される。よって、着用者の股締め力により、中央領域１ｂに対して、横方向の内側に向かう圧縮力が作用すると、図５Ｂに示すように、一対の第２縦圧縮溝１４間の吸収体の部位３Ｃが、厚さ方向の肌側に緩やかに隆起する。
【００３５】
このように、第１実施形態のナプキン１では、前方領域１ａと中央領域１ｂの境界部分の横方向の中央部を、前方領域１ａよりも肌側に高く、且つ、中央領域１ｂよりも肌側に低く、中間の高さで肌側に隆起させることができる。そのため、縦方向の前側から中央側に掛けて、ナプキン１の横方向の中央部を、徐々に（段階的に）肌側に隆起させることができる。換言すると、中間の高さで肌側に隆起する部位（図５Ｂ）を設けることで、前方領域１ａは平坦な面形状に保たれ易くなり、中央領域１ｂは肌側に高く隆起し易くなる。よって、着用者に対するナプキン１のフィット性をより向上させることができる。
【００３６】
また、第１実施形態のナプキン１では、第１横圧縮溝１２が、一対の第１縦圧縮溝１１に連結しており、第３横圧縮溝１７が、一対の第４縦圧縮溝１６に連結している。そのため、縦方向の前側に流れた排泄物を、一対の第１縦圧縮溝１１及び第１横圧縮溝１２で堰き止めることができ、また、縦方向の後側に流れた排泄物を、一対の第４縦圧縮溝１４及び第３横圧縮溝１７で堰き止めることができ、排泄物の縦漏れを抑制できる。
【００３７】
また、図１に示すように、第１縦圧縮溝１１の縦方向後側の端部の縦方向の位置と、第２縦圧縮溝１４の縦方向前側の端部の縦方向の位置とが、重複している。そのため、横方向に流れた排泄物を、第１縦圧縮溝１１と第２縦圧縮溝１４の重複部分で堰き止めることができ、排泄物の横漏れを抑制できる。但し、これに限らず、例えば後述の図６のように、第２縦圧縮溝１４が、第１縦圧縮溝１１よりも、縦方向の中央側に位置してもよい。
【００３８】
また、第１実施形態のナプキン１では、中央領域１ｂにおいて、横方向の外側に位置する第２縦圧縮溝１４の縦方向の前側の端の方が、横方向の内側に位置する第３縦圧縮溝１５の縦方向の前側の端よりも、縦方向の前側に位置する。そのため、ナプキン１の装着時に、第２縦圧縮溝１４の縦方向の前側の端部に作用した横方向の内側に向かう圧縮力を、図１の矢印Ｄに示すように、第３縦圧縮溝１５の縦方向の中央部に向かわせることができる。よって、中央領域１ｂの縦方向及び横方向の中央部、つまり、排泄部に当接する部位に作用する圧縮力を高めることができるので、排泄部に当接する部位が肌側により隆起し易くなり、排泄部に対するナプキン１のフィット性をより向上させることができる。
【００３９】
更に、第２縦圧縮溝１４の縦方向の後側の端の方を、第３縦圧縮溝１５の縦方向の後側の端よりも、縦方向の後側に位置させることで、第２縦圧縮溝１４の縦方向の後側の端部に作用した圧縮力を、第３縦圧縮溝１５の縦方向の中央部に向かわせることができ、排泄物に当接する部位が肌側により隆起し易くなる。但し、これに限らず、第３縦圧縮溝１５の縦方向の前側（又は後側）の端を、第２縦圧縮溝１４の縦方向の前側（又は後側）の端よりも、縦方向の前側（又は後側）に位置させてもよい。
【００４０】
また、仮に、第２縦圧縮溝１４の縦方向の中央部、及び、第３縦圧縮溝１５の縦方向の中央部が、横方向の内側に向かって凸となるように湾曲していると、圧縮溝間が最も狭くなる部位に圧縮力が集中し易く、その部位だけが肌側に隆起し易くなってしまう。これに対して、第１実施形態のナプキン１では、第２縦圧縮溝１４の縦方向の中央部、及び、第３縦圧縮溝１５の縦方向の中央部が、横方向の外側に向かって凸となるように湾曲している。そのため、中央領域１ｂの縦方向及び横方向の中央部を、比較的に広い面で、安定して肌側に隆起させることができ、排泄部に対するナプキン１のフィット性を向上させることができる。また、肌側に隆起し、排泄物に当接する部位の面積を広くすることで、排泄物の吸収力が向上し、排泄物の漏れを抑制できる。
【００４１】
一方で、第２縦圧縮溝１４を横方向の内側に凸となるように湾曲させる方が、ナプキン１が、着用者の太腿の付け根に沿い易い。そこで、第１実施形態のナプキン１では、第２縦圧搾溝１４の縦方向の前側の端部を、横方向の外側に向かって傾斜させている。即ち、第２縦圧縮溝１４は、縦方向の前側の端部が横方向の外側に向かって開くように設けられている。同様に、第２縦圧縮溝１４の縦方向の後側の端部も、横方向の外側に向かって傾斜させるとよい。そうすることで、第２縦圧縮溝１４の縦方向の前側及び後側の端部が設けられた位置では、ナプキン１が着用者の太腿の付け根に沿い易く、ナプキン１のフィット性を向上させることができる。
【００４２】
但し、第２縦圧縮溝１４や第３縦圧縮溝１５の形状は上記の形状に限らない。例えば、第２縦圧縮溝１４と第３縦圧縮溝１５とのうちの一方は、横方向の外側に凸となるように湾曲し、他方は、横方向の内側に凸となるように湾曲してもよいし、両方が横方向の内側に凸となるように湾曲してもよいし、第２縦圧縮溝１４の縦方向の前側の端部が横方向の外側に向かって傾斜していなくてもよい。
【００４３】
また、この実施形態では、圧縮溝１１〜１８が、横方向の中心線に対して対称な形状となっているが、これに限らず、非対称な形状であってもよい。つまり、一対の第１〜第３縦圧縮溝１１，１４，１５のうち、少なくとも横方向の一方側の第１〜第３縦圧縮溝１１，１４，１５が、上記の配置関係や上記の形状であれば、ナプキン１の横方向の一方側において、上記の効果が得られる。
【００４４】
また、この実施形態では、ナプキン１の外形形状、及び、圧縮溝１１〜１８が、縦方向の中心線に対して対称な形状となっている。そのため、着用者は、ナプキン１の縦方向の前後を意識することなく装着でき、また、後方領域１ｃが下腹部に当接し、前方領域１ａが臀部に当接するようにナプキン１が装着されても、上記の効果が得られる。
【００４５】
また、前述のように、ナプキン１を下着に固定するために、ナプキン１の非肌側面（裏面）には、下着の肌側面に接着されるずれ止め接着剤１０（接着剤）が設けられている。そして、第１実施形態のナプキン１では、図３に示すように、ナプキン１を厚さ方向に見て、一対の第２縦圧縮溝１４のうちの横方向の一方側の第２縦圧縮溝１４が、ずれ止め接着剤１０の横方向の一方側の端１０ｂよりも、横方向の一方側（外側）に位置している。つまり、ナプキン１を厚さ方向に見て、第２縦圧縮溝１４は、ずれ止め接着剤１０と重なっていない。
【００４６】
そのため、ナプキン１の装着時に、第２縦圧縮溝１４が設けられた部位、及び、それよりも横方向の外側の部位は、下着に固定されず、動きが下着の形状に規制されない。よって、ナプキン１の装着時に横方向の内側に向かう圧縮力が作用した際に、第２縦圧縮溝１４よりも横方向の外側の部位は、第２縦圧縮溝１４を起点として、下着から浮き上がり、肌側に隆起できる。つまり、ナプキン１の断面形状をＷ字形状（不図示）にすることができ、横方向に流れた排泄物を、ナプキン１の横方向の端部で堰き止めることができ、排泄物の横漏れを抑制できる。また、ナプキン１の断面形状がＷ字形状であると、大陰唇から太腿の付け根に掛かる部位にも、ナプキン１が沿い易くなり、ナプキン１のフィット性を向上させることができる。
【００４７】
但し、上記に限らず、第２縦圧縮溝１４とずれ止め接着剤１０とが一部重なっていてもよい。例えば、第２縦圧縮溝１４の横方向の外側の端が、ずれ止め接着剤１０の横方向の外側の端よりも、横方向の外側に位置していれば、第２縦圧縮溝１４よりも横方向の外側にまでずれ止め接着剤１０が設けられている場合に比べて、ナプキン１の横方向の端部が肌側に隆起し易く、排泄物の漏れを抑制できる。
【００４８】
一方、ナプキン１を厚さ方向に見て、前方領域１ａの第２横圧縮溝１３は、ずれ止め接着剤１０と重なっている。そのため、第２横圧縮溝１３が設けられた領域は下着に接着されるので、前方領域１ａは平坦な面形状により保たれ易くなり、下腹部に対するナプキン１のフィット性を向上させることができる。なお、第２横圧縮溝１３の全域がずれ止め接着剤１０と重なっているに限らず、第２横圧縮溝１３の一部がずれ止め接着剤１０と重なっているだけでもよい。
【００４９】
また、ナプキン１を厚さ方向に見て、一対の第２縦圧縮溝１４のうちの横方向の一方側の第２縦圧縮溝１４が設けられた領域が、一対の第１縦圧縮溝１１のうちの横方向の一方側の第１縦圧縮溝１１が設けられた領域、及び、ずれ止め接着剤１０が設けられた領域を合成した領域と、分断している。つまり、第２縦圧縮溝１４が設けられた領域は、ずれ止め接着剤１０が設けられた領域を介しても、第１縦圧縮溝１１が設けられた領域と連結せずに、分断している。そのため、ナプキン１の装着時に中央領域１ｂに作用した圧縮力が、下着を介して前方領域１ａに伝達されてしまうことを抑制でき、前方領域１ａは平坦な面形状により保たれ易くなる。よって、下腹部に対するナプキン１のフィット性を向上させることができる。
【００５０】
なお、この実施形態（図３）では、一対の第２縦圧縮溝１４が共に、ずれ止め接着剤１０や第１縦圧縮溝１１と上記の配置関係になっているが、これに限らず、少なくとも横方向の一方側の第２縦圧縮溝１４が、ずれ止め接着剤１０や第１縦圧縮溝１１と上記の配置関係になっていれば、ナプキン１の横方向の一方側において、上記の効果が得られる。
【００５１】
また、図１に示すナプキン１には、横方向の両外側に延出する一対のウィング部が設けられていないが、一対のウィング部が設けられたナプキンであってもよい。通常、ウィング部の裏面にも接着剤が設けられるが、ナプキン１の装着時にウィング部は折り返され、ウィング部の接着剤は、下着の非肌側面に接着されるので、下着の肌側面に接着される接着剤には含まれない。
【００５２】
また、第１実施形態のナプキン１では、図４に示すように、吸収体３が有する吸収体コア３０の目付けが場所によって異なり、横方向の中心部に向かって吸収体コア３０の目付けが段階的に高くなり、また、縦方向の中心部に向かって吸収体コア３０の目付けが段階的に高くなっている。なお、図４に示すナプキン１の下側の図は、ナプキン１の縦方向の中心にて、吸収体コア３０を横方向及び厚さ方向に切った断面図であり、ナプキン１の右側の図は、ナプキン１の横方向の中心にて、吸収体コア３０を縦方向及び厚さ方向に切った断面図である。
【００５３】
具体的には、ナプキン１の縦方向及び横方向の中心部、即ち、縦方向において第２横圧縮溝１３と第４横圧縮溝１８の間であり、横方向において一対の第３縦圧縮溝１５間に位置する吸収体コア３０の第１部位３ａの目付けが最も高く（例：７００ｇ/ｍ2）、次に、第１部位３ａの横方向の両側に位置する吸収体コア３０の第２部位３ｂの目付けが高く（例：３８０ｇ/ｍ2）、次に、第１部位３ａ及び第２部位３ｂよりも縦方向の前側及び後側であり、第１横圧縮溝１２及び第３横圧縮溝１７よりも縦方向の中央側に位置する吸収体コア３０の第３部位３ｃの目付けが高く（例：３００ｇ/ｍ2）、第３部位３ｃよりも縦方向の前側及び後側である吸収体コア３０の第４部位３ｄの目付けが最も低くなっている（例：２００ｇ/ｍ2）。更に、吸収体コア３０の第１部位３ａでは、第２縦圧縮溝１４の縦方向の前側の端に対応する位置から、第２横圧縮溝１３の縦方向の後側の端に対応する位置に掛けて、吸収体コア３０の目付けが徐々に低下している。
【００５４】
つまり、一対の第３縦圧縮溝１５間の横方向の中央部に位置する吸収体コア３０（第１部位３ａ）の目付けが、一対の第３縦圧縮溝１５よりも横方向の外側に位置する吸収体コア（第２部位３ｂ）の目付けよりも高くなっている。即ち、排泄部に当接する部位の吸収体コア３０の目付けがより高くなっている。そのため、例えば吸収体コア３０の目付けが一定である場合に比べて、排泄部に当接する部位は、肌側により高く隆起するため、排泄部に対するナプキン１のフィット性をより向上させることができ、また、排泄物の吸収力も向上するため、排泄物の漏れを抑制できる。
【００５５】
また、第３縦圧縮溝１５の縦方向の中央部が位置する縦方向の第１位置（例：図４のｐ１）の方が、第２横圧縮溝１３と第２縦圧縮溝１４との間である縦方向の第２位置（例：ｐ２）に比べて、吸収体コア３０の横方向の中央部の目付けが高く、縦方向の第２位置（例：ｐ２）の方が、第２横圧縮溝１３よりも縦方向の前側である縦方向の第３位置（例：ｐ３）に比べて、吸収体コア３０の横方向の中央部の目付けが高くなっている。
【００５６】
つまり、ナプキン１の縦方向の前側から中央側に掛けて、吸収体コア３０（横方向中央部）の目付けが徐々に高くなっている。よって、下腹部に当接する前方領域１ａは、平坦な面形状により保たれ易く、排泄部に当接する中央領域１ｂは、肌側により高く隆起し易く、前方領域１ａと中央領域１ｂの境界部分は、中間の高さで隆起し易くなる。そのため、ナプキン１の縦方向の前側から中央側に掛けて、ナプキン１が肌側に徐々に隆起し易くなるので、ナプキン１のフィット性をより向上させることができる。
【００５７】
＝＝＝第２実施形態＝＝＝
図６は、第２実施形態におけるナプキン１の肌側の概略平面図である。第２実施形態のナプキン１は、第１実施形態のナプキン１（図１）とは異なり、縦方向の中心線に対して非対称な形状となっており、前方領域１ａに比べて、臀部に当接する後方領域１ｂの方が、縦方向の長さが長く、横幅も広くなっており、例えば、夜用、多い時用として、使用される。
【００５８】
第２実施形態のナプキン１も、第１実施形態のナプキン１と同様に、前方領域１ａに、一対の第１縦圧縮溝１１、第１横圧縮溝１２、及び、第２横圧縮溝１３が設けられ、中央領域１ｂに、一対の第２縦圧縮溝１４、及び、一対の第３縦圧縮溝１５が設けられている。但し、後方領域１ｃには、縦方向に沿う一対の第４縦圧縮溝１６、及び、横方向に沿い一対の第４縦圧縮溝１６に連結する第３横圧縮溝１７は設けられるが、第３横圧縮溝１７よりも縦方向の中央側であり、一対の第４縦圧縮溝１６よりも横方向の内側に、横方向に沿う圧縮溝、つまり、第１実施形態のナプキン１の第４横圧縮溝１８に相当する圧縮溝が設けられていない。
【００５９】
そのため、前方領域１ａに比べると、後方領域１ｃは、横方向の剛性が低下するので、臀部に沿って湾曲させることができ、臀部に対するナプキン１のフィット性を向上させることができる。よって、後方領域１ｃに流れた排泄物の漏れを抑制でき、装着時の違和感も低減できる。特に、第２実施形態のナプキン１のように、縦方向の中心線に対して非対称な形状であるナプキン１は、縦方向の前後が間違いなく認識されるので、第２横圧縮溝１３が設けられた前方領域１ａが下腹部に当接し、横方向に沿う圧縮溝が設けられていない後方領域１ｃが臀部に当接するように、装着される。つまり、下腹部及び臀部に対するフィット性が向上するように、間違いなくナプキン１が装着されるので、上記の圧縮溝１１〜１７の構成（図６）にすることが好ましいと言える。
【００６０】
＝＝＝第３実施形態＝＝＝
図７Ａから図７Ｄは、第３実施形態におけるナプキン１の肌側の概略平面図である。第３実施形態のナプキン１の前方領域１ａには、第１横圧縮溝１２よりも縦方向の中央側であり、一対の第１縦圧縮溝１１よりも横方向の内側に、横方向に沿う第２横圧縮溝１３に連結し、且つ、第２横圧縮溝１３と共に環状の圧縮溝２０を形成する連結圧縮溝２１が、設けられている。
【００６１】
環状の圧縮溝２０とは、閉じられた圧縮溝のことである、つまり、圧縮溝上の或る点から、圧縮溝に沿って溝をなぞると、或る点に戻る形状の溝のことである。環状の圧縮溝２０としては、図７Ａに示す略長方形形状の圧縮溝や、図７Ｂに示す雫形状の圧縮溝や、図７Ｃ及び図７Ｄに示すハート形状の圧縮溝が挙げられる。但し、これに限らず、例えば、正円形状や楕円形状等であってもよい。また、環状の圧縮溝２０は、連続した溝に限らず、部分的に非圧縮部を有する溝であってもよい。
【００６２】
このような環状の圧縮溝２０は、横方向に幅を有すると共に、縦方向にも幅を有するため、前方領域１ａに環状の圧縮溝２０を設けることで、前方領域１ａの横方向の剛性をより高めることができる。よって、前方領域１ａを平坦な面形状により保ち易く、下腹部に対するナプキン１のフィット性をより向上させることができる。
【００６３】
以上、上記実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。
【００６４】
例えば、上記実施形態では、吸収性物品として生理用ナプキンを例に挙げているが、これに限らず、パンティーライナー、失禁パッド等の他の吸収性物品に対しても本発明を適用できる。
【符号の説明】
【００６５】
１  ナプキン（吸収性物品）、１ａ  前方領域、１ｂ  中央領域、１ｃ  後方領域、２  表面シート、３  吸収体、３０  吸収体コア、３１  被覆材、４  裏面シート、５  サイドシート、６  接合部、７  サイド接合部、１０  ずれ止め接着剤（接着剤）、１１  第１縦圧縮溝、１２  第１横圧縮溝、１３  第２横圧縮溝、１４  第２縦圧縮溝、１５  第３縦圧縮溝、１６  第４縦圧縮溝、１７  第３横圧縮溝、１８  第４横圧縮溝、２０  環状の圧縮溝、２１  連結圧縮溝、４０  低圧縮部、４１  高圧縮部、４２  非圧縮部、ｐ１  第１位置、ｐ２  第２位置、ｐ３  第３位置
【図１】
0005970527.tif 000002
【図２】
0005970527.tif 000003
【図３】
0005970527.tif 000004
【図４】
0005970527.tif 000005
【図５】
0005970527.tif 000006
【図６】
0005970527.tif 000007
【図７】
0005970527.tif 000008